(57)【特許請求の範囲】
【請求項１】
太陽光を受け電気を発電する太陽光発電機器と、
前記太陽光発電機器により得られた電気を蓄える蓄電部を有する複数の移動体と、
送信対象への情報の送信を行う送信手段であって、前記移動体及び当該移動体の運転者の少なくとも一方を送信対象として、前記蓄電部に蓄えられた電気の供給先についての情報である供給先情報を送信する送信手段と、
前記送信対象を決定する送信対象決定手段と、
を備え、
前記蓄電部を備えた前記移動体が前記供給先まで移動することで、当該移動体の当該蓄電部の電気が当該供給先へ供給され、
前記送信対象決定手段は、前記移動体が向かう前記供給先に設置された蓄電部の電気残量に基づき、複数の前記送信対象の中から送信対象を決定し、
前記移動体が向かう前記供給先に設置された前記蓄電部の前記電気残量に応じて前記送信対象が異なるものとなるように当該送信対象についての決定を行う、
電力供給システム。
【請求項２】
前記送信対象決定手段は、前記供給先に設置された前記蓄電部の電気残量が予め定められた閾値よりも小さい場合、当該閾値よりも大きい場合に比べ、より多くの前記送信対象に対して前記供給先情報が送信されるように、当該送信対象を決定する請求項１に記載の電力供給システム。
【請求項３】
前記送信対象決定手段は、前記供給先に設置された前記蓄電部の電気残量が予め定められた閾値よりも小さい場合、自身で当該供給先に向かう自律型の移動体を、前記送信対象として決定する請求項１に記載の電力供給システム。
【請求項４】
前記太陽光発電機器は、集合住宅に設置され、当該集合住宅の住人により共用される共用機器に供給される電気を発電する請求項１乃至３の何れかに記載の電力供給システム。
【請求項５】
太陽光発電機器により得られた電気を蓄える蓄電部を有する複数の移動体の当該蓄電部に蓄えられた電気の供給先であって、当該移動体が当該供給先まで移動することで当該移動体から当該供給先への電気の供給が行われる当該供給先を決定する供給先決定手段と、
送信対象への情報の送信を行う送信手段であって、前記移動体及び当該移動体の運転者の少なくとも一方の送信対象に対して、前記供給先決定手段により決定された前記供給先についての情報である供給先情報を送信する送信手段と、
前記送信対象を決定する送信対象決定手段と、
を備え、
前記送信対象決定手段は、前記供給先決定手段により決定され前記移動体が向かう前記供給先に設置された蓄電部の電気残量に基づき、複数の前記送信対象の中から送信対象を決定し、
前記移動体が向かう前記供給先に設置された前記蓄電部の前記電気残量に応じて前記送信対象が異なるものとなるように当該送信対象についての決定を行う、
情報処理装置。
【請求項６】
前記太陽光発電機器は、集合住宅に設置され、当該集合住宅の住人により共用される共用機器に供給される電気を発電し、
前記供給先決定手段は、前記集合住宅に設置された前記太陽光発電機器により得られた電気を蓄える前記蓄電部を有する前記複数の移動体の当該蓄電部に蓄えられた電気の供給先を決定する請求項５に記載の情報処理装置。
【請求項７】
太陽光発電機器により得られた電気を蓄える蓄電部を有する複数の移動体の当該蓄電部に蓄えられた電気の供給先であって、当該移動体が当該供給先まで移動することで当該移動体から当該供給先への電気の供給が行われる当該供給先を決定する供給先決定機能と、
送信対象への情報の送信を行う送信機能であって、前記移動体及び当該移動体の運転者の少なくとも一方の送信対象に対して、前記供給先決定機能により決定された前記供給先についての情報である供給先情報を送信する送信機能と、
前記送信対象を決定する送信対象決定機能と、
をコンピュータに実現させるためのプログラムであり、
前記送信対象決定機能は、前記供給先決定機能により決定され前記移動体が向かう前記供給先に設置された蓄電部の電気残量に基づき、複数の前記送信対象の中から送信対象を決定し、
前記移動体が向かう前記供給先に設置された前記蓄電部の前記電気残量に応じて前記送信対象が異なるものとなるように当該送信対象についての決定を行う機能を前記コンピュータに実現させるためのプログラム。
【請求項８】
前記太陽光発電機器は、集合住宅に設置され、当該集合住宅の住人により共用される共用機器に供給される電気を発電し、
前記供給先決定機能は、前記集合住宅に設置された前記太陽光発電機器により得られた電気を蓄える前記蓄電部を有する前記複数の移動体の当該蓄電部に蓄えられた電気の供給先を決定する請求項７に記載のプログラム。
【発明の詳細な説明】
【技術分野】
【０００１】
本発明は、電力供給システム、情報処理装置、および、プログラムに関する。
【背景技術】
【０００２】
特許文献１には、宅内に設置された据え置き型蓄電池の充電動作および据え置き型蓄電池を放電させて負荷に電力を供給する動作を行う蓄電池用充放電器とともに充放電システムを構成し、電気自動車が備える動力用蓄電池の充電動作および動力用蓄電池を放電させて負荷に電力を供給する放電動作を行う充放電装置が開示されている。
特許文献２には、住宅側の系統電力に接続した充放電器と電気自動車のバッテリーを充電パドルで接続するとともに、メインコントローラが、バッテリーから住宅側へ電力を供給する際、その供給量をバッテリーの残容量から確保電力量と非常用電力を減じた範囲に制限する処理が開示されている。
【先行技術文献】
【特許文献】
【０００３】
【特許文献１】特許６５４８８５４号
【特許文献２】特開２００１−８３８０号公報
【発明の概要】
【発明が解決しようとする課題】
【０００４】
マンションなどの集合住宅に太陽光発電機器を設置すると、この集合住宅にて電力を得られるようになり、例えば、この集合住宅にて共用される共用機器に対して、この電力を供給できる。
ところで、太陽光発電機器により得られる電力に余剰が生じることもあり、この余剰な電力を他に供給できれば、電力の無駄を減らせるようになる。ここで、他への電力の供給は、例えば送電線を設置することで行えるが、この場合、設備が大掛かりになる。
本発明の目的は、集合住宅にて得られた電力を、この集合住宅以外に対してより簡易に提供できるようにすることにある。
【課題を解決するための手段】
【０００５】
本発明が適用される電力供給システムは、集合住宅に設置され、太陽光を受け、当該集合住宅の住人により共用される共用機器に供給される電気を発電する太陽光発電機器と、前記太陽光発電機器により得られた電気を蓄える蓄電部を有する移動体と、送信対象への情報の送信を行う送信手段であって、前記移動体及び当該移動体の運転者の少なくとも一方を送信対象として、前記蓄電部に蓄えられた電気の供給先についての情報である供給先情報を送信する送信手段と、を備える電力供給システムである。
【０００６】
ここで、前記送信手段は、前記供給先情報として、他の集合住宅についての情報を送信することを特徴とすることができる。
また、前記送信手段は、前記他の集合住宅についての前記情報として、当該他の集合住宅の位置情報を送信することを特徴とすることができる。
また、前記移動体は、前記集合住宅の住民が所有する車両であり、当該車両が利用されて、前記太陽光発電機器により発電された電気が前記供給先へ移送されることを特徴とすることができる。
また、前記太陽光発電機器により発電された電気のうちの、前記共用機器により用いられない分の電気が、前記移動体の前記蓄電部に蓄電されることを特徴とすることができる。
また、前記太陽光発電機器が設置された前記集合住宅とは異なる他の集合住宅の各々に設置された蓄電部の各々の電気残量を把握する残量把握手段と、前記供給先を決定する供給先決定手段と、を更に備え、前記供給先決定手段は、前記残量把握手段により把握された電気残量に基づき、前記供給先を決定することを特徴とすることができる。
また、前記供給先決定手段は、前記残量把握手段により把握された電気残量が予め定められた閾値よりも小さい蓄電部が設けられた前記他の集合住宅を、前記供給先として決定することを特徴とすることができる。
また、前記送信手段は、前記移動体に設けられた前記蓄電部の電気残量が予め定められた閾値よりも大きい場合に、前記送信対象に対して前記供給先情報を送信することを特徴とすることができる。
【０００７】
また、前記集合住宅は複数設けられるとともに、当該集合住宅の各々に対応して前記移動体が設けられ、前記送信手段は、複数の前記移動体のうちの、前記供給先からの距離が予め定められた閾値よりも小さい箇所に位置する移動体及び当該移動体の運転者の少なくとも一方に対して、前記供給先情報を送信することを特徴とすることができる。
また、前記集合住宅は複数設けられるとともに、当該集合住宅の各々に対応して前記移動体が設けられ、前記送信手段は、複数の前記送信対象に対して、前記供給先情報を送信することを特徴とすることができる。
また、前記送信対象を決定する送信対象決定手段を更に備え、前記送信対象決定手段は、前記供給先に設置された蓄電部の電気残量に基づき、前記送信対象を決定することを特徴とすることができる。
また、前記集合住宅は複数設けられるとともに、当該集合住宅の各々に対応して前記移動体が設けられ、前記送信対象決定手段は、前記供給先に設置された前記蓄電部の電気残量が予め定められた閾値よりも小さい場合、当該閾値よりも大きい場合に比べ、より多くの前記送信対象に対して前記供給先情報が送信されるように、当該送信対象を決定することを特徴とすることができる。
また、前記送信対象決定手段は、前記供給先に設置された前記蓄電部の電気残量が予め定められた閾値よりも小さい場合、自身で当該供給先に向かう自律型の移動体を、前記送信対象として決定することを特徴とすることができる。
【０００８】
また、本発明を情報処理装置として捉えた場合、本発明が適用される情報処理装置は、集合住宅に設置された太陽光発電機器により得られた電気を蓄える蓄電部を有する移動体の当該蓄電部に蓄えられた電気の供給先を決定する供給先決定手段と、前記移動体及び当該移動体の運転者の少なくとも一方に対して、前記供給先決定手段により決定された前記供給先についての情報である供給先情報を送信する送信手段と、を備える情報処理装置である。
【０００９】
また、本発明をプログラムとして捉えた場合、本発明が適用されるプログラムは、集合住宅に設置された太陽光発電機器により得られた電気を蓄える蓄電部を有する移動体の当該蓄電部に蓄えられた電気の供給先を決定する供給先決定機能と、前記移動体及び当該移動体の運転者の少なくとも一方に対して、前記供給先決定機能により決定された前記供給先についての情報である供給先情報を送信する送信機能と、をコンピュータに実現させるためのプログラムである。
【発明の効果】
【００１０】
本発明によれば、集合住宅にて得られた電力を、この集合住宅以外に対してより簡易に提供できる。
【図面の簡単な説明】
【００１１】
【図１】電力供給システムの全体構成を示した図である。
【図２】移動体のハードウエアの構成の一例を示す図である。
【図３】管理サーバのハードウエアの構成を示した図である。
【図４】管理サーバのＣＰＵ等により実現される機能部を示した図である。
【図５】情報格納部に格納された情報を示す図である。
【図６】管理サーバが実行する処理の流れを示したフローチャートである。
【図７】運転者が有するユーザ端末の表示画面を示した図である。
【発明を実施するための形態】
【００１２】
以下、添付図面を参照して、本発明の実施の形態について説明する。
図１は、電力供給システム１の全体構成を示した図である。
電力供給システム１には、情報処理装置の一例としての管理サーバ３００が設けられている。さらに、電力供給システム１には、複数の集合住宅１０、および、複数の移動体２０が設けられている。
【００１３】
移動体２０の各々は、集合住宅１０の各々に対応付けられて設けられている。より具体的には、移動体２０は、集合住宅１０の駐車場や集合住宅１０の屋上などに設けられている。
また、本実施形態の電力供給システム１には、移動体２０の運転を行う運転者が有するユーザ端末３０が設けられている。このユーザ端末３０は、例えば、スマートフォンにより構成される。
本実施形態では、移動体２０、ユーザ端末３０、及び、管理サーバ３００が、インターネット回線などの通信回線３１０を介して、相互に接続されている。
【００１４】
集合住宅１０の各々には、太陽光発電機器１１が設置されている。太陽光発電機器１１の各々は、太陽光を受け、集合住宅１０の住人により共用される共用機器に供給される電気を発電する。
より具体的には、集合住宅１０には、共用機器として、エレベータ、自動ドア１２、廊下の照明など、集合住宅１０の住人が利用する機器が設けられている。本実施形態では、太陽光発電機器１１により得られた電気（電力）が、この機器（共用機器）に供給される。
ここで、「集合住宅１０」とは、一棟に複数の世帯が居住する住宅をいう。「集合住宅１０」には、いわゆるマンションやアパートなどを含み、その規模を問わない。
【００１５】
移動体２０の各々は、蓄電部４０（以下、必要に応じ「移動体蓄電部４１」と称する）を有する。本実施形態では、この移動体蓄電部４１に、集合住宅１０に設置された太陽光発電機器１１により発電された電気が蓄えられる。
より具体的には、移動体蓄電部４１と太陽光発電機器１１とが不図示のケーブルを介して接続され、移動体蓄電部４１に、太陽光発電機器１１により発電された電気が蓄えられる。
また、本実施形態では、移動体蓄電部４１に蓄えられた電気が、必要に応じて、共用機器へ供給される。
【００１６】
また、本実施形態では、複数設けられた集合住宅１０の一部又は全部に、蓄電部４０（以下、必要に応じ「住宅蓄電部４２」と称する）が設けられている。
集合住宅１０に住宅蓄電部４２が設けられている場合、この集合住宅１０に設けられた太陽光発電機器１１により発電された電気は、住宅蓄電部４２に蓄えられる。
また、集合住宅１０に住宅蓄電部４２が設けられている場合、必要に応じて、この住宅蓄電部４２から共用機器へ電気が供給される。
【００１７】
ここで、蓄電部４０とは、電気（電力）を蓄えておく機能部であり、いわゆるバッテリーにより構成される。
また、本実施形態では、太陽光発電機器１１により発電された電気のうちの、共用機器により用いられない分の電気（余剰電気）が、蓄電部４０（移動体蓄電部４１や住宅蓄電部４２）に蓄えられる。
【００１８】
本実施形態では、例えば、昼間の時間帯などにおいては、太陽光発電機器１１により発電された電気の一部が余るようになる。本実施形態では、この余った一部の電気が、移動体蓄電部４１や住宅蓄電部４２に蓄えられる。
言い換えると、本実施形態では、太陽光発電機器１１により発電された電気のうちの、共用機器により用いられない分の電気が、移動体蓄電部４１や住宅蓄電部４２に蓄えられる。
【００１９】
移動体２０は、自律して移動し、又は、運転者による運転により移動する。
ここで、「自律して移動」とは、運転者による運転によらずに自身で移動することをいう。
移動体２０としては、バイク等の２輪車や自動車等の４輪車など、動力を有する車両を一例に挙げることができる。また、移動体２０としては、ドローンなどの飛行体や、動力を有しない自転車なども一例に挙げることができる。
また、移動体２０としては、いわゆる電気自動車を用いてもよく、この場合、この電気自動車が有しているバッテリーを、移動体蓄電部４１として利用してもよい。
【００２０】
図２は、移動体２０のハードウエアの構成の一例を示す図である。
移動体２０には、ＣＰＵ（Central Processing Unit）２０１、ＲＡＭ（Random Access Memory）２０２、ＲＯＭ（Read Only Memory）２０３が設けられている。また、ハードディスク装置などにより構成される記憶装置２０４が設けられている。さらに、移動体２０には、外部との通信を行うための通信インタフェース（通信Ｉ／Ｆ）２０５が設けられている。
【００２１】
また、移動体２０の各々には、車輪、プロペラ、モータ、エンジン、ハンドルなどの、移動体２０の移動に用いられる移動用機構２０６が設けられている。
さらに、移動体２０の各々には、液晶ディスプレイや有機ＥＬ（＝Electro Luminescence）ディスプレイ等により構成される表示装置２０７や、ＧＰＳ（＝Global Positioning System）センサ２０８が設けられている。
ＧＰＳセンサ２０８は、ＧＰＳ衛星からの電波を受信して移動体２０の位置を測定するセンサである。ＧＰＳセンサ２０８から出力される緯度、経度、高度の情報は、移動体２０の現在位置を与える。
【００２２】
図３は、管理サーバ３００のハードウエアの構成を示した図である。
情報処理装置の一例としての管理サーバ３００は、コンピュータ装置により構成され、管理サーバ３００には、ＣＰＵ（Central Processing Unit）３０１、ＲＡＭ（Random Access Memory）３０２、ＲＯＭ（Read Only Memory）３０３が設けられている。また、ハードディスク装置などにより構成される記憶装置３０４が設けられている。さらに、管理サーバ３００には、外部との通信を行うための通信インタフェース（通信Ｉ／Ｆ）３０５が設けられている。
【００２３】
ＣＰＵ３０１によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で、管理サーバ３００へ提供しうる。また、ＣＰＵ３０１によって実行されるプログラムは、インターネットなどの通信手段を用いて管理サーバ３００へダウンロードしてもよい。
【００２４】
図４は、管理サーバ３００のＣＰＵ３０１等により実現される機能部を示した図である。なお、この図４では、集合住宅１０への電気の供給に関する機能部のみを表示している。
図４に示すように、管理サーバ３００は、情報送信部３２１と、残量把握部３２２と、供給先決定部３２３と、送信対象決定部３２４とを有する。また、管理サーバ３００には、情報格納部３２５が設けられている。
【００２５】
ここで、情報送信部３２１、残量把握部３２２、供給先決定部３２３、および、送信対象決定部３２４は、管理サーバ３００のＣＰＵ３０１が、記憶装置３０４等に格納されているプログラムを実行することで実現される。
また、情報格納部３２５は、記憶装置３０４により実現される。
【００２６】
送信手段の一例としての情報送信部３２１は、通信インタフェース（通信Ｉ／Ｆ）３０５（図３参照）を用い、移動体２０及び移動体２０の運転者の少なくとも一方に対して、移動体蓄電部４１に蓄えられた電気の供給先についての情報である供給先情報を送信する。
残量把握手段の一例としての残量把握部３２２は、集合住宅１０の各々に対応して設置された蓄電部４０の電気残量を把握する。
供給先決定手段の一例としての供給先決定部３２３は、移動体蓄電部４１に蓄えられた電気の供給先を決定する。
送信対象決定手段の一例としての送信対象決定部３２４は、移動体蓄電部４１に蓄えられた電気の供給先についての情報である供給先情報の送信対象（送信先）を決定する。
【００２７】
情報格納部３２５には、図５（情報格納部３２５に格納された情報を示す図）に示すように、集合住宅１０の各々に対応付けて、集合住宅１０の位置情報、集合住宅１０に対応付けられて設けられた移動体２０についての情報（移動体情報）、移動体２０を運転する運転者についての情報（運転者情報）、運転者が有するユーザ端末３０についての情報（端末情報）（識別情報や、電子メールのアドレスなど情報の送信先を特定するための情報）、集合住宅１０に対応して設けられた移動体２０が有する移動体蓄電部４１の電気残量、集合住宅１０に設置された住宅蓄電部４２の電気残量などの情報が格納されている。
【００２８】
ここで、移動体２０についての情報（移動体情報）としては、自律型の移動体２０であるか或いは運転者を要する移動体２０であるかなどの、移動体２０の種別についての情報が格納される。また、移動体２０についての情報として、この移動体２０に情報を送信する際に必要となる、情報の送信先を特定するための情報が格納される。
また、移動体２０についての情報として、移動体２０の位置情報が格納される。本実施形態では、一定時間毎に、移動体２０に設けられたＧＰＳセンサ２０８（図２参照）により得られた位置情報が、管理サーバ３００に送信される。そして、本実施形態では、この位置情報が、集合住宅１０に対応付けられた状態で情報格納部３２５に格納される。
【００２９】
また、本実施形態では、上記の通り、情報格納部３２５に、移動体蓄電部４１の電気残量、集合住宅１０に設置された住宅蓄電部４２の電気残量などの情報が格納される。
より具体的には、本実施形態では、一定時間毎に、移動体蓄電部４１、住宅蓄電部４２の電気残量についての情報が、管理サーバ３００に送信され、この情報が、集合住宅１０に対応付けられた状態で、情報格納部３２５に格納される。
【００３０】
図６は、管理サーバ３００が実行する処理の流れを示したフローチャートである。
本実施形態では、管理サーバ３００に設けられた残量把握部３２２が、予め定められた時間が経過する度に（例えば、１分おきに）、集合住宅１０の各々に設置された蓄電部４０の各々の電気残量を把握する（ステップＳ１０１）。
【００３１】
より具体的には、残量把握部３２２は、蓄電部４０が、移動体２０のみに設けられている場合には、移動体２０に設けられたこの蓄電部４０（移動体蓄電部４１）の電気残量を把握する。
より具体的には、残量把握部３２２は、情報格納部３２５に格納された、移動体蓄電部４１の電気残量についての情報を取得して、移動体蓄電部４１の電気残量を把握する。
【００３２】
また、残量把握部３２２は、蓄電部４０が、集合住宅１０のみに設けられている場合には、この集合住宅１０に設けられた蓄電部４０（住宅蓄電部４２）の電気残量を把握する。
より具体的には、残量把握部３２２は、情報格納部３２５に格納された、住宅蓄電部４２の電気残量についての情報を取得して、住宅蓄電部４２の電気残量を把握する。
【００３３】
また、残量把握部３２２は、蓄電部４０が移動体２０および集合住宅１０の両者に設けられている場合には、移動体２０に設けられた蓄電部４０（移動体蓄電部４１）の電気残量と、集合住宅１０に設けられた蓄電部４０（住宅蓄電部４２）の電気残量とを足し合わせた電気残量を、電気残量として把握する。
【００３４】
その後、本実施形態では、管理サーバ３００にて、把握された電気残量が予め定められた閾値よりも小さくなっている蓄電部４０があるか否かを判断する（ステップＳ１０２）。
そして、ステップＳ１０２にて、電気残量が予め定められた閾値よりも小さくなっている蓄電部４０があると判断されなかった場合、処理を終了する。
【００３５】
一方、ステップＳ１０２にて、電気残量が予め定められた閾値よりも小さくなっている蓄電部４０が有ると判断された場合、供給先決定部３２３が、この蓄電部４０が設けられた集合住宅１０を、電気の供給先として決定する（ステップＳ１０３）。
付言すると、この場合、供給先決定部３２３は、電気残量が予め定められた閾値よりも小さくなっている蓄電部４０が設けられた集合住宅１０を、移動体蓄電部４１に蓄えられている電気の供給先として決定する。
【００３６】
言い換えると、供給先決定部３２３は、残量把握部３２２により把握された電気残量が予め定められた閾値よりも小さい状態にある蓄電部４０が設けられた集合住宅１０を、供給先として決定する。
より具体的には、供給先決定部３２３は、情報格納部３２５に格納されている情報（電気残量についての情報）を参照して、電気残量が少なくなっている蓄電部４０が設けられた集合住宅１０を特定し、特定したこの集合住宅１０を供給先として決定する。
本実施形態では、このように、供給先決定部３２３は、残量把握部３２２により把握された電気残量に基づき、移動体蓄電部４１に蓄えられた電気の供給先を決定する。
【００３７】
ステップＳ１０３の処理の後、管理サーバ３００は、移動体２０の各々に設けられた移動体蓄電部４１の電気残量が予め定められた閾値よりも大きいか否かを、移動体２０毎に判断し、移動体蓄電部４１の電気残量が予め定められた閾値よりも大きい移動体２０が存在するかを判断する（ステップＳ１０４）。
より具体的には、管理サーバ３００は、情報格納部３２５に格納されている情報（電気残量についての情報）を参照して、移動体蓄電部４１の電気残量が予め定められた閾値よりも大きい移動体２０が存在するかを判断する。
そして、管理サーバ３００は、移動体蓄電部４１の電気残量が予め定められた閾値よりも大きい移動体２０が存在すると判断した場合、この移動体２０を特定する（ステップＳ１０５）。
【００３８】
一方、ステップＳ１０４にて、移動体蓄電部４１の電気残量が予め定められた閾値よりも大きい移動体２０が存在しないと判断された場合は、処理を終了する。
この場合（移動体蓄電部４１の電気残量が予め定められた閾値よりも大きい移動体２０が存在しないと判断された場合）、ステップＳ１０３にて供給先として決定された集合住宅１０への、移動体２０からの電気の供給がなされないようになる。
なお、この場合、電力供給システム１の管理者等に、移動体２０から集合住宅１０への電気の供給を行えない旨を通知することが好ましい。
【００３９】
ステップＳ１０５にて、移動体２０が特定された場合、情報送信部３２１が、特定されたこの移動体２０及び特定されたこの移動体２０の運転者の少なくとも一方の送信対象に対して、供給先情報を送信する（ステップＳ１０６）。
言い換えると、ステップＳ１０３にて決定された、電気の供給先についての情報を、上記の少なくとも一方の送信対象に対して送信する。
【００４０】
付言すると、本実施形態では、一の集合住宅１０に対応して設置された移動体２０を、この一の集合住宅１０とは異なる他の集合住宅１０へ移動させて、この他の集合住宅１０への電気の供給を行うが、ステップＳ１０６の処理では、この他の集合住宅１０についての情報を、送信対象である、移動体２０や運転者に送信する。
【００４１】
なお、供給先情報を送信するにあたっては、供給先情報の送信対象が、移動体２０である場合には、移動体２０自体へ供給先情報を送信する。
また、供給先情報の送信対象が、移動体２０を運転する運転者である場合には、この運転者が有するユーザ端末３０へ供給先情報を送信する。
【００４２】
本実施形態では、情報送信部３２１は、送信対象（送信先）に対し、供給先情報として、移動体２０からの電気の供給を受ける集合住宅１０についての情報を送信する。
言い換えると、情報送信部３２１は、電気の移送を行う移動体２０が設置された集合住宅１０とは異なる他の集合住宅１０（移動体２０が向かう先の他の集合住宅１０）についての情報を送信する。
【００４３】
より具体的には、情報送信部３２１は、他の集合住宅１０についての情報として、例えば、他の集合住宅１０の位置情報を送信する。
より具体的には、本実施形態では、情報送信部３２１は、情報格納部３２５から、他の集合住宅１０に対応付けられて登録された位置情報を取得して、この位置情報を送信する。
本実施形態では、上記のステップＳ１０３にて、供給先として、この他の集合住宅１０が決定され、情報送信部３２１は、ステップＳ１０３にて決定されたこの他の集合住宅１０の位置情報を、送信対象に送信する。
【００４４】
ここで、他の集合住宅１０の位置情報としては、集合住宅１０の住所や、集合住宅１０の位置座標が一例に挙げられる。
なお、ここでは、他の集合住宅１０についての情報として、位置情報を送信する場合を一例に説明したが、これに限らず、他の集合住宅１０の名称を送信してもよい。
【００４５】
図７は、運転者が有するユーザ端末３０の表示画面を示した図である。
本実施形態では、供給先情報が運転者に送信されると、この運転者が有するユーザ端末３０の表示画面に、この供給先情報が表示される。
具体的には、この例では、供給先情報として、符号７Ａで示すように、供給先となる集合住宅１０の住所が表示され、また、符号７Ｂで示すように、この集合住宅１０の位置を示す地図が表示される。
また、本実施形態では、符号７Ｃで示す「ナビ開始」というボタンを運転者が選択することで、供給先情報により特定される集合住宅１０への案内が行われる。
【００４６】
なお、これに限らず、移動体２０に対して供給先情報を送信して、移動体２０に設けられた表示装置２０７（図２参照）に、図７に示した表示と同様の表示が行われるようにしてもよい。
また、移動体２０が、運転者の運転によらずに自身で供給先に向かう自律型の移動体２０である場合は、移動体２０が供給先情報を受信すると、移動体２０は、自身で移動して、この供給先情報により特定される集合住宅１０へ向かう。
【００４７】
移動体２０が、供給先情報により特定される集合住宅１０に到着すると、この移動体２０から、この集合住宅１０への電気の供給が開始される。
本実施形態では、移動体２０が利用されて、太陽光発電機器１１により発電された電気が供給先である他の集合住宅１０へ移送され、そして、この他の集合住宅１０では、移動体２０からこの他の集合住宅１０への電気の供給が行われる。
【００４８】
ここで、本実施形態では、移動体２０が自律して移動する機能を有している場合、移動体２０は、上記の位置情報などを基に、自身で移動して、供給先情報により特定される集合住宅１０へ自ら移動する。
そして、移動体２０に設けられた移動体蓄電部４１に蓄えられている電気が、この他の集合住宅１０へ供給される。
【００４９】
また、自律して移動できる機能を移動体２０が有しておらず、運転者が運転することで移動体２０が移動する場合は、運転者が移動体２０を運転することで、供給先情報により特定される集合住宅１０へ移動体２０が移動する。
そして、この場合も、移動体２０に設けられた移動体蓄電部４１に蓄えられている電気が、他の集合住宅１０へ供給される。
【００５０】
ここで、他の集合住宅１０へ到着した移動体２０から、この他の集合住宅１０への電気の供給は、例えば、手動により行う。
具体的には、例えば、移動体２０の運転者や他の集合住宅１０の住人が、移動体２０の移動体蓄電部４１と、他の集合住宅１０に設けられた蓄電部４０（移動体蓄電部４１および住宅蓄電部４２の一方又は両方）とをケーブルで接続して、移動体２０から他の集合住宅１０への電気の供給を行う。
【００５１】
また、他の集合住宅１０に到着した移動体２０から他の集合住宅１０への電気の供給は、自動で行ってもよい。
この場合は、例えば、移動体２０が、予め定められた箇所にて自動で停止するようにし、さらに、この移動体２０から他の集合住宅１０側へ、電気コネクタを自動で進出させて、他の集合住宅１０側に設置された受けコネクタに対して、この電気コネクタを接続する。これにより、移動体２０から他の集合住宅１０への電気の供給を行える。
【００５２】
なお、移動体２０から他の集合住宅１０への電気の供給にあたっては、この他の集合住宅１０自体に設けられた蓄電部４０（住宅蓄電部４２）に電気を供給してもよいし、この他の集合住宅１０に対応付けられて設けられた移動体２０が有する蓄電部４０（移動体蓄電部４１）に電気を供給してもよい。
また、その他に、移動体２０から、移動体蓄電部４１および住宅蓄電部４２の両者に対して電気を供給してもよいし、他の集合住宅１０に設けられた共用機器に対して直接電気を供給してもよい。
【００５３】
また、移動体２０として２輪車や４輪車などの車両を用いるにあたっては、電気の移送のための専用の車両を用意して、この専用の車両を用いるようにしてもよいし、集合住宅１０の住民が所有する車両（例えば、電気自動車）を用いるようにしてもよい。
集合住宅１０の住民が所有する車両を用いると、専用の車両を用意せずに済み、電気の移送に要するコストが低くなる。
なお、集合住宅１０の住民が所有する車両を用いる場合は、車両を有するこの住民に報酬を与えたり、この住民の電気代を割り引いたりするなど、この住民に特典を与えることが好ましい。
【００５４】
ここで、本実施形態では、上記のステップＳ１０５にて説明したように、移動体蓄電部４１の電気残量が予め定められた閾値よりも大きくなっている移動体２０を特定する。
そして、この移動体２０及びこの移動体２０の運転者の少なくとも一方の送信対象に対して、供給先情報を送信する。
【００５５】
この場合、移動体蓄電部４１の電気残量が予め定められた閾値よりも大きくなっている移動体２０が複数有る場合には、複数の移動体２０が特定され、情報送信部３２１は、複数の送信対象に対して供給先情報を送信することになる。
即ち、この場合、複数の移動体２０の各々や、移動体２０を運転する複数の運転者の各々や、複数の移動体２０の各々および複数の運転者の各々に対して、供給先情報を送信することになる。
【００５６】
本実施形態では、集合住宅１０は複数設けられ、また、集合住宅１０の各々に対応して移動体２０が設けられ、移動体２０が複数存在する。
本実施形態では、複数存在するこの移動体２０の各々や、移動体２０を運転する運転者の各々に対して、供給先情報が送信される。
【００５７】
なお、「集合住宅１０の各々に対応して移動体２０が設けられている」とは、全ての集合住宅１０の各々に対応して移動体２０が設けられていることを意味するものではない。
集合住宅１０の数よりも移動体２０の数が少ない場合であっても、集合住宅１０に対応して移動体２０が設けられていれば、「集合住宅１０の各々に対応して移動体２０が設けられている」と言える。
【００５８】
本実施形態では、移動体蓄電部４１の電気残量が予め定められた閾値よりも大きくなっている移動体２０が複数有る場合、情報送信部３２１は、複数のこの移動体２０に供給先情報を送信するなど、複数の送信対象に対して供給先情報を送信する。
ここで、このように、複数の送信対象に対して、供給先情報を送信すると、１つの送信対象のみに対して供給先情報を送信する場合に比べ、供給先に対して電気が供給される可能性が高まる。
【００５９】
ここで、例えば、１人の運転者のみに対して供給先情報を送信する場合、この運転者の都合が悪い場合には、供給先に対して電気が供給されなくなる。
これに対し、複数の送信対象に対して供給先情報を送信すると、都合の良い運転者や自律型の移動体２０に対して、供給先情報が送信される可能性が高まり、供給先に対して電気が供給される可能性が高まる。
【００６０】
なお、複数の送信対象に対して、供給先情報を送信した場合において、例えば、予め定められた数の、送信対象から応答（供給先に向かうとの応答）があった場合、応答が無かった移動体２０や運転者に対して、例えば、必要数の移動体２０が揃った旨を通知することが好ましい。
これにより、必要な数を超える数の移動体２０が、供給先へ向かうことが抑制される。
【００６１】
ここで、本実施形態では、上記のとおり、情報送信部３２１は、移動体２０に設けられた移動体蓄電部４１の電気残量が予め定められた閾値よりも大きい場合に、この移動体２０や運転者などの送信対象に対して供給先情報を送信する。
これ以外に、例えば、情報送信部３２１は、複数の移動体２０のうちの、供給先からの距離が予め定められた閾値よりも小さい箇所に位置する移動体２０及びこの移動体２０の運転者の少なくとも一方に対して、供給先情報を送信するようにしてもよい。
【００６２】
即ち、情報送信部３２１は、複数の移動体２０のうちの、供給先に近い箇所に位置する移動体２０及びこの移動体２０の運転者の少なくとも一方に対して、供給先情報を送信するようにしてもよい。
付言すると、この処理を行う場合、本実施形態では、まず、送信対象決定部３２４が、複数の移動体２０のうちの、供給先に近い箇所に位置する移動体２０及びこの移動体２０の運転者の少なくとも一方を送信対象として決定する。
【００６３】
より具体的には、送信対象決定部３２４は、情報格納部３２５を参照して、複数の移動体２０のうちの、供給先に近い箇所に位置する移動体２０及びこの移動体２０の運転者の少なくとも一方を送信対象として決定する。
その後、本実施形態では、情報送信部３２１が、送信対象決定部３２４により決定されたこの送信対象に対して、供給先情報を送信する。
【００６４】
また、より好ましくは、送信対象決定部３２４は、移動体蓄電部４１の電気残量が予め定められた閾値よりも大きく且つ供給先からの距離が予め定められた閾値よりも小さい箇所に位置する移動体２０、および、この移動体２０の運転者の少なくとも一方を、送信対象として決定してもよい。
この場合、情報送信部３２１は、移動体蓄電部４１の電気残量が大きく且つ供給先に近い箇所に位置する移動体２０、および、この移動体２０の運転者の少なくとも一方に、供給先情報を送信することになる。
【００６５】
このように、供給先からの距離が予め定められた閾値よりも小さい箇所に位置する移動体２０や、この移動体２０の運転者に対して供給先情報を送信すると、供給先から離れた箇所に位置する移動体２０が供給先に向かうことが抑制され、供給先への電気の供給をより速やかに行える。
【００６６】
なお、供給先からの距離が予め定められた閾値よりも小さい箇所に位置する移動体２０は、例えば、供給先となる集合住宅１０の位置情報（情報格納部３２５に格納されている位置情報）と、移動体２０の各々の位置情報（ＧＰＳセンサ２０８（図２参照）により得られ情報格納部３２５に格納された位置情報）とに基づき特定する。
【００６７】
また、その他に、送信対象決定部３２４は、供給先である他の集合住宅１０に設置された蓄電部４０の電気残量に基づき、送信対象を決定してもよい。
より具体的には、送信対象決定部３２４は、例えば、供給先に設置された蓄電部４０の電気残量が予め定められた閾値よりも小さい場合、この閾値よりも大きい場合に比べ、より多くの送信対象に対して供給先情報が送信されるように、送信対象を決定してもよい。
【００６８】
なお、ここで、「供給先に設置された蓄電部４０の電気残量」とは、供給先に設置された蓄電部４０が住宅蓄電部４２のみである場合は、この住宅蓄電部４２の電気残量を指し、供給先に設置された蓄電部４０が移動体蓄電部４１のみである場合は、この移動体蓄電部４１の電気残量を指す。
また、供給先に設置された蓄電部４０が、住宅蓄電部４２および移動体蓄電部４１である場合は、住宅蓄電部４２の電気残量と移動体蓄電部４１の電気残量とを足し合わせることにより得た電気残量を指す。
【００６９】
具体例を挙げて説明すると、例えば、送信対象決定部３２４は、供給先に設置された蓄電部４０の電気残量が予め定められた閾値よりも大きい場合、例えば、供給先情報の送信対象の数を５とし、供給先に設置された蓄電部４０の電気残量が予め定められた閾値よりも小さい場合、供給先情報の送信対象の数をこの５よりも大きい１０とする。
【００７０】
供給先に設置された蓄電部４０の電気残量が予め定められた閾値よりも小さい場合、例えば、１台の移動体２０のみでは、供給先へ供給される電気が不足するおそれがある。
上記のように、より多くの送信対象に対して供給先情報が送信されるように送信対象を決定すると、供給先へ向かう移動体２０の数が増え、供給先へ供給される電気が増加する。
【００７１】
また、その他に、送信対象決定部３２４は、供給先に設置された蓄電部４０の電気残量が予め定められた閾値よりも小さい場合、自身でこの供給先に向かう自律型の移動体２０を、送信対象として決定してもよい。
【００７２】
供給先に設置された蓄電部４０の電気残量が予め定められた閾値よりも小さい場合、この供給先への電力供給をより速やかに行うことが好ましくなる。
この場合に、運転者による運転により移動する移動体２０や、運転者を、送信対象として決定すると、運転者の都合が悪いと、供給先への電力供給が滞るようになる。
これに対し、自律型の移動体２０を、送信対象として決定すると、運転者を必要としないため、移動体２０が供給先へより確実に向かうようになり、供給先への電力供給をより速やかに行える。
【符号の説明】
【００７３】
１…電力供給システム、１０…集合住宅、１１…太陽光発電機器、１２…自動ドア、２０…移動体、４０…蓄電部、４１…移動体蓄電部、４２…住宅蓄電部、３２１…情報送信部、３２２…残量把握部、３２３…供給先決定部、３２４…送信対象決定部
【要約】
【課題】集合住宅にて得られた電力を、この集合住宅以外に対してより簡易に提供できるようにする。
【解決手段】集合住宅に設置され、太陽光を受け、当該集合住宅の住人により共用される共用機器に供給される電気を発電する太陽光発電機器と、前記太陽光発電機器により得られた電気を蓄える蓄電部を有する移動体と、送信対象への情報の送信を行う送信手段であって、前記移動体及び当該移動体の運転者の少なくとも一方を送信対象として、前記蓄電部に蓄えられた電気の供給先についての情報である供給先情報を送信する送信手段と、を備える電力供給システム。
【選択図】図１【図１】
0006913196.tif 000002
【図２】
0006913196.tif 000003
【図３】
0006913196.tif 000004
【図４】
0006913196.tif 000005
【図５】
0006913196.tif 000006
【図６】
0006913196.tif 000007
【図７】
0006913196.tif 000008